(57)【特許請求の範囲】
【請求項１】
少なくとも供給ケーブルに沿って配置される複数の照明ユニットを含む照明システムをモニタリングする方法であって、
各照明ユニットに関して、物理的な場所の情報を取得するステップと、
各照明ユニットに関して、供給電圧情報を受信するステップと、
各照明ユニットの前記物理的な場所と、前記供給電圧情報とに基づいて、前記照明ユニット間のケーブル経路を特定する電力網情報を導出するステップと、
を含み、
電力網情報を導出する前記ステップは、
前記照明ユニットの前記物理的な場所に基づいて、前記照明ユニットをまとめるステップと、
前記供給電圧情報に基づいて、各まとまりにおける前記照明ユニット間のケーブル経路を特定するステップと、
を含む、方法。
【請求項２】
前記電力網情報は、同時刻における各照明ユニットに関する前記供給電圧情報に基づいて導出される、請求項１に記載の方法。
【請求項３】
前記照明システムは、道路照明システムを含む、請求項１又は２に記載の方法。
【請求項４】
前記供給電圧情報は、各照明ユニットのＡＣ電圧の幾つかのサンプルに基づいて計算された二乗平均平方根電圧値を含む、請求項１又は２に記載の方法。
【請求項５】
前記電力網情報は、道路の場所を特定するマップを考慮して取得される、請求項３に記載の方法。
【請求項６】
前記照明システムは、照明キャビネットのセットを含み、各照明キャビネットは、各照明キャビネットから延在する供給ケーブルに沿った少なくとも１つの対応するセットの照明ユニットを供給し、電力網情報を導出する前記ステップは、供給電圧のピーク及び谷の解析によって、前記ケーブル経路に沿った前記照明キャビネットの場所を特定するステップを含み、ピークが集中しているところが、照明キャビネットの場所である、請求項１乃至４の何れか一項に記載の方法。
【請求項７】
障害を示す照明キャビネットからの１つ又は複数のケーブルに沿ったすべての照明ユニットに基づいて、前記照明キャビネット故障の診断を提供するステップを含む、請求項５又は６に記載の方法。
【請求項８】
障害を示すケーブルの終端部における照明ユニットのセットに基づいて、ケーブル故障の診断を提供するステップを更に含む、請求項１乃至７の何れか一項に記載の方法。
【請求項９】
障害を示すケーブルの中間セクションにおける照明ユニットに基づいて、照明ユニット故障の診断を提供するステップを更に含む、請求項１乃至８の何れか一項に記載の方法。
【請求項１０】
コンピュータ上で実行される場合に、請求項１乃至９の何れか一項に記載の方法を行うように適応されたコンピュータプログラムコード手段を含む、コンピュータプログラム。
【請求項１１】
複数の照明ユニットを含む照明システムをモニタリングする照明システムモニタリング装置であって、
各照明ユニットは、供給電圧モニタリングシステムを含み、
前記照明システムモニタリング装置は、
各照明ユニットの物理的な場所を受信し、また、前記供給電圧モニタリングシステムから、供給電圧情報を受信する受信モジュールと、
前記物理的な場所の情報と前記供給電圧情報とから、電力網情報を導出し、前記照明ユニット間のケーブル経路を特定するコントローラと、
を含み、前記コントローラは、
前記照明ユニットの前記物理的な場所に基づいて、前記照明ユニットをまとめ、
前記供給電圧情報に基づいて、各まとまりにおける前記照明ユニット間のケーブル経路を特定する、照明システムモニタリング装置。
【請求項１２】
前記照明システムは、道路照明システムを含み、前記コントローラは、道路の場所を特定するマップを考慮に入れる、請求項１１に記載の照明システムモニタリング装置。
【請求項１３】
前記照明システムは、照明キャビネットのセットを含み、各照明キャビネットは、各照明キャビネットから延在する供給ケーブルに沿った照明ユニットの対応するセットに供給し、前記コントローラは、前記供給電圧情報のピーク及び谷を解析することによって、前記ケーブル経路に沿った前記照明キャビネットの場所を特定する電力網情報を導出し、ピークが集中しているところが、照明キャビネットの場所である、請求項１１又は１２に記載の照明システムモニタリング装置。
【請求項１４】
前記コントローラは、
障害を示すケーブルの終端部における照明ユニットのセットに基づいて、ケーブル故障の診断を提供し、
障害を示すケーブルの中間セクションにおける照明ユニットに基づいて、照明ユニット故障の診断を提供し、及び／又は、
障害を示す照明キャビネットからの１つ又は複数のケーブルに沿ったすべての照明ユニットに基づいて、照明キャビネット故障の診断を提供する、請求項１１乃至１３の何れか一項に記載の照明システムモニタリング装置。
【請求項１５】
複数の照明ユニットを含み、各照明ユニットは、物理的な場所のシステムと、供給電圧測定システムとを含む、照明システムと、
請求項１１乃至１４の何れか一項に記載の照明システムモニタリング装置と、
を含む、モニタリング照明設備。
【発明の詳細な説明】
【技術分野】
【０００１】
本発明は、照明システムのモニタリングに関し、より具体的には、照明システムのアセットマネジメントのためのモニタリングに関する。
【背景技術】
【０００２】
本発明は、例えば道路照明ネットワークである大きい領域を対象とする照明システムに特に興味深い。
【０００３】
図１は、典型的な照明制御システムを示し、また、制御ネットワークのトポロジを示す。制御ネットワークは、キャビネット１０内に、ケーブルに沿ったすべての制御ノード（即ち、照明ユニット）１６を制御するローカルコントローラを有する。ローカルコントローラは、バックエンド１２と通信する。ケーブル及びキャビネットの場所は知られており、物理的な構成と制御トポロジとは対応している。したがって、中央コントローラ１０がコミッショニングされると、アセット（キャビネット及びケーブル）は、容易にコミッショニングされ、管理される。
【０００４】
図２は、単一の照明システムが制御されるやり方を示す。キャビネット内のローカルコントローラはない。代わりに、各ノード（即ち、照明ユニット）が、個別のコントローラを有し、これらのコントローラは、１つの又は幾つかの中央コントローラ１２の制御下にある。しかし、電力は、関連付けられるキャビネットと、キャビネットから延在するケーブルとから供給される。図２のシステムでは、キャビネットの場所も、ケーブル経路も知られていない。ネットワークの観点から、中央コントローラ１２において観察可能なのは、個別のノードの数だけである。
【０００５】
照明制御システムは、図２に示されるように、個別の制御システムの方に進化している。
【０００６】
図２の個別の照明制御システムについて、実際には、幾つかの中央コントローラがあってよいが、何千もの照明ユニット１６（各照明ユニットは別箇の制御ノードと見なされる）であっても、同じく１つのコントローラしかなくてもよい。ネットワークトポロジは、図１の例におけるように、各キャビネット１０に関連付けられる固定の電力ケーブル配置によってもはや左右されなくなる。
【０００７】
したがって、バックエンド１２が、ケーブル及びキャビネット情報を簡単に入手することができない。バックエンドは、例えば個々の照明ユニットに関連する情報しか有さず、すべての照明ユニットは、離散点として特定される。バックエンドは、照明ユニットがどのように物理的に接続されているのか、例えば照明ユニット間のケーブル経路又は照明ユニットの列を制御するキャビネットの場所の知識を有さない。
【０００８】
だが、例えば道路照明局であるエンドユーザは、これらの非照明アセットを管理し、これらが正しく機能していることを請け負う責任がある。エンドユーザに、ケーブル及びキャビネットの場所及び構成の知識を提供するためには、システムコミッショナが道路構成デザインを照合し、ケーブル及びキャビネットアセット情報を手動で追加することが必要となる。
【発明の概要】
【発明が解決しようとする課題】
【０００９】
照明システムのこれらのアセットの自動化された収集及び管理を提供する必要がある。
【００１０】
国際特許公開ＷＯ２０１４／０３３５５８は、コミッショニングのために、電圧測定を利用して、トラックに沿った照明器具の場所を決定するシステムを開示する。しかし、この方法は、トラックの場所自体は分かっていることを前提としており、また、目的は、既知のグリッド内の照明器具の位置を見つけることである。
【課題を解決するための手段】
【００１１】
本発明は、請求項によって規定される。
【００１２】
本発明の一態様によれば、少なくとも供給ケーブルに沿って配置される複数の照明ユニットを含む照明システムをモニタリングする方法が提供される。当該方法は、
各照明ユニットに関して、物理的な場所の情報を取得するステップと、
各照明ユニットに関して、供給電圧情報を受信するステップと、
各照明ユニットの物理的な場所と、供給電圧情報とに基づいて、照明ユニット間のケーブル経路を特定する電力網情報を導出するステップとを含む。
【００１３】
本発明は、照明システム構成情報の収集を可能にする方法（及びシステム）を提供する。供給電圧測定値と、各照明ユニットに関する場所情報（例えばＧＰＳ）とを用いて、照明ユニットが物理的に接続されている方法の予想が立てられ、ケーブルの長さが導出される。この情報を用いて、これらのアセットの管理が容易にされる。照明ユニットの故障又はシステム内の他のアセット（例えばケーブル）の故障の場合、障害分離の情報を迅速に与えて、保守管理要員が障害の場所を見つけられるようにする。
【００１４】
したがって、本発明は、分散型の個々の照明制御システムで動作するシステムに特に適している照明システムのアセット管理ソリューションを提供する。これは、自動情報収集と、非照明ユニットアセットの管理とを可能にし、また、例えば照明ユニット故障又は電力システム故障を区別して、障害分離を可能にする。
【００１５】
物理的な場所の情報は、照明ユニット自体から受信されても、他の情報源から受信されてもよい。例えば照明ユニットは、物理的な場所の情報を取得する衛星測位システムを有する。同様に、供給電圧情報は、照明ユニットから直接受信されなくてもよく、中間データ源を介して、間接的に受信されてもよい。
【００１６】
供給電圧情報は、好適には、各照明ユニットに関して、同時にサンプリングされるか又は測定される。タイミングは、例えば衛星システム（例えばＧＰＳ）が場所の情報を提供するために使用されている場合には、当該衛星システムに基づいて制御される。供給電圧情報は、供給電圧値、又は、以下に説明されるように、二乗平均平方根電圧値又は複数の電圧値サンプルの平均絶対値等の供給電圧値のバリエーションを含む。
【００１７】
タイミング情報は、様々な照明ユニットからのすべてのサンプリング情報が、ＡＣ主電源サイクルにおける同じ点にあるようにすることができる。ＡＣ電圧の幾つかのサンプルを取ることによって、正確な電圧情報を提供する二乗平均平方根（ＲＭＳ）電圧値が取得される。
【００１８】
すべての照明ユニットは、同時に始動するように制御され、したがって、供給電圧情報は、各照明ユニットの場所における供給ケーブルから引き込まれる電流に基づいている。各場所におけるＲＭＳ電圧のサンプリング時間は、すべてのランプが点灯した状態で、同じであることが好適である。この同時サンプリングは、グリッド電圧が常に変動している場合、サンプリング時刻が異なるとデータがあまりロバストでなくなるという事実を考慮している。したがって、同時サンプリングは、精度を高めるためにはより好ましい。
【００１９】
照明ユニットは、それらの物理的な場所に基づいて、特に照明ユニットが供給ケーブルの１つのセットに沿って配置されている場合、複数のグループにまとめられる。照明ユニットの物理的な場所は、供給ケーブルの数を反映することができる。各グループにおいて、当該グループ内の照明ユニットの供給電圧情報の解析によって、例えば供給電圧のピーク及び谷の解析に基づいて、又は、供給電圧の電圧降下に基づいて、ケーブル経路が特定される。
【００２０】
照明システムは、道路照明システムを含んでよい。この場合、ネットワーク情報は、道路の場所を特定するマップを考慮して取得されてよい。ケーブル経路は、道路の場所に従うので、これにより、ケーブル経路が特定される。
【００２１】
システムは、照明キャビネットのセットを含んでよく、各照明キャビネットは、各照明キャビネットから延在する供給ケーブルに沿った少なくとも１つの対応するセットの照明ユニットを供給する。ネットワーク情報を導出するステップは、ケーブル経路に沿った照明キャビネットの場所を特定するステップを含む。したがって、照明キャビネットの推定される場所も導出される。
【００２２】
照明キャビネットの場所は、例えば供給電圧のピーク及び谷の解析に基づいて取得されてよい。ピークは、照明キャビネットの場所にあり、谷は、通常、キャビネットの場所間の中間にある。これらの谷は、キャビネットに連結されるケーブルの終端部に対応する。
【００２３】
一実施形態では、電力網情報は、キャビネット、キャビネットから延在する分岐ケーブル及びケーブルによって接続される照明ユニットのトポロジといった電力網トポロジを含む。更なる実施形態では、電力網情報は更に、電力ケーブルの場所、方向及び長さと、キャビネットの場所と、照明ユニットの場所と、照明ユニットとキャビネットとの間の場所及び電力ケーブル接続関係とを含む。
【００２４】
方法は更に、照明システムにおける障害の診断を提供するステップを含む。したがって、上記方法は、照明システムのコミッショニングと保守管理との両方に適している。
【００２５】
障害の第１の例は、ケーブル故障である。これは、障害を示すケーブルの終端部における照明ユニットのセットに基づく。
【００２６】
障害の第２の例は、照明ユニット故障である。これは、障害を示すケーブルの中間セクションにおける照明ユニットに基づく。
【００２７】
障害の第３の例は、照明キャビネット故障である。これは、障害を示す照明キャビネットからの１つ又は複数のケーブルに沿ったすべての照明ユニットに基づく。
【００２８】
障害のタイプが特定されると、保守管理及び修理は単純化される。
【００２９】
コンピュータ上で実行される場合に、本発明の方法を行うように適応されたコンピュータプログラムコード手段を含むコンピュータプログラムプロダクトが提供される。コンピュータプログラムは、照明システムのバックエンドサーバにおいて動作する。
【００３０】
本発明の別の態様による一例は、複数の照明ユニットを含む照明システムをモニタリングする照明システムモニタリング装置を提供する。各照明ユニットは、供給電圧モニタリングシステムを含む。当該モニタリング装置は、
各照明ユニットの物理的な場所を受信し、また、供給電圧モニタリングシステムから、供給電圧情報を受信する受信モジュールと、
物理的な場所の情報と供給電圧情報とから、電力網情報を導出し、照明ユニット間のケーブル経路を特定するコントローラとを含む。
【００３１】
照明システムは、道路照明システムを含んでよく、コントローラは、道路の場所を特定するマップを考慮に入れる。
【００３２】
照明システムは、照明キャビネットのセットを含んでよく、各照明キャビネットは、各照明キャビネットから延在する供給ケーブルに沿った照明ユニットの対応するセットに供給し、コントローラは、供給電圧情報のピーク及び谷を解析することによって、ケーブル経路に沿った照明キャビネットの場所を特定する電力網情報を導出する。
【００３３】
モニタリング装置は、
障害を示すケーブルの終端部における照明ユニットのセットに基づいて、ケーブル故障の診断を提供し、
障害を示すケーブルの中間セクションにおける照明ユニットに基づいて、照明ユニット故障の診断を提供し、及び／又は、
障害を示す照明キャビネットからの１つ又は複数のケーブルに沿ったすべての照明ユニットに基づいて、照明キャビネット故障の診断を提供してよい。
【００３４】
本発明は更に、
複数の照明ユニットを含み、各照明ユニットは、衛星場所システムと、供給電圧測定システムとを含む、照明システムと、
本発明の照明システムモニタリング装置とを含むモニタリング照明設備も提供する。
【００３５】
照明システムは更に、照明キャビネットのセットを含んでよく、各照明キャビネットは、各照明キャビネットから延在する供給ケーブルに沿った照明ユニットの対応するセットに供給し、コントローラは、供給電圧情報のピーク及び谷を解析することによって、ケーブル経路に沿った照明キャビネットの場所を特定する電力網情報を導出する。
【図面の簡単な説明】
【００３６】
本発明の例について、添付図面を参照して、以下に詳細に説明する。
【００３７】
【図１】図１は、典型的な照明制御システムを示す。
【図２】図２は、分散された個別制御ユニットに基づく照明制御システムを示す。
【図３】図３は、分散された照明ユニットを有するケーブルに沿ってケーブル電圧が変化する様子を示す。
【図４】図４は、本発明の一例を実施するための主要要素を示す。
【図５】図５は、個々の照明ユニットによって実施される動作方法を示す。
【図６】図６は、バックエンドコントローラによって実施される動作方法を示す。
【図７】図７は、デジタルマップ上に重ねられたユーザインターフェースによって表される基本情報を示す。
【図８】図８は、図７の図に追加されるピーク電圧情報を示す。
【図９】図９は、図８の図に追加されるキャビネットの場所情報を示す。
【図１０】図１０は、システムが、ケーブル又は照明ユニットの故障問題の診断を支援する方法を示す。
【図１１】図１１は、システムが、照明キャビネットの故障問題の診断を支援する方法を示す。
【発明を実施するための形態】
【００３８】
本発明は、照明システムをモニタリングする方法を提供する。物理的な場所の情報が、システムの各照明ユニットに関連して受信される。供給電圧情報も、各照明ユニットに関連して受信される。各照明ユニットの物理的な場所と供給電圧情報とに基づいて、照明ユニット間のケーブル経路と、ケーブル経路に沿った照明キャビネットの場所とを特定するネットワーク情報が導出される。
【００３９】
したがって、本発明は、照明ユニットの既知の物理的な場所を、電圧モニタリングによって決定されるケーブル経路に沿った場所と組み合わせる。
【００４０】
照明ユニットは、例えば個々のキャビネットによって給電される。各キャビネットは、電力ケーブルに沿って、照明ユニットのセットに順次供給する。照明ユニットが点灯されると、電流がケーブルを通って流れるが、銅抵抗によって、ケーブルに沿って電圧は下がる。ケーブル上の電圧損失は無視できる程度ではなく、例えば最大１０％の電圧降下が見込まれる。電圧降下は、各照明ユニットの場所における入力電圧に影響を及ぼすので、各照明ユニットにおいて測定される電圧は、物理的なケーブル接続の情報を含む。
【００４１】
例えば図３は、３０個の２５０Ｗの照明ユニットを有する照明システムに関連する。各照明ユニット間のケーブル長さは、３０ｍであり、２３ｍｍ２（０．７５Ｏｈｍ／ｋｍ）のケーブルの断面積を有する。各照明ユニットにおける電圧降下は、ｙ軸に示され、照明ユニットの番号が、ｘ軸に沿って示される。各照明ユニットは、異なる電圧降下を有し、照明ユニットとキャビネットとの距離が長いほど、電圧降下も大きくなる。
【００４２】
図４は、本発明の一例を実施するための主要要素を示す。
【００４３】
照明ユニット２０が、電圧サンプリング及び通信機能を行う。照明ユニットは、入力電圧のサンプルを取る電圧サンプリングモジュール２２を含む。入力電圧から、ＲＭＳ電圧が計算される。ＧＰＳモジュール２４といった衛星測位モジュールが、照明ユニットの正確な地理的な位置を提供する。このユニットから時間も取得される。
【００４４】
通信モジュール２６が、システムのバックエンド部３０への通信を提供する。任意の適切な通信技術が使用されてよい。コマンド、電圧データ及び位置データが、このモジュール２６を介して送信される。一実施形態では、電圧データ及び位置データは、対（電圧データ、位置データ）で送信される。或いは、電圧データ及び位置データは、別々に送信されてもよく、それぞれ、照明ユニット２０の識別子と共に送信され、これにより、バックエンド部３０がこれらのデータを受信すると、バックエンド部３０は、各照明ユニット２０についての電圧データ及び位置データを特定することができる。
【００４５】
照明ユニット２０とバックエンド３０との通信は、例えばＧＰＲＳ（ジェネラル・パケット・ラジオ・サービス）、３Ｇ、４Ｇ、ジグビー（登録商標）又はＰＬＣ（電力線通信）に基づいていてよい。バックエンドユニット３０は、照明ユニットから情報を受信する受信モジュール３１と、データ収集及び解析を行うコントローラ３２とを含む。
【００４６】
照明ユニット２０のメインコントローラユニット２８は、電圧サンプリング機能、データ処理機能及び送信機能のタイミングを制御する。
【００４７】
コントローラ３２によって行われるデータ収集及び解析は、すべての個々の照明ユニットに、電圧サンプリング動作を行うように指示し、その後、データ収集を行うことに基づいている。データを解析することによって、コントローラ３２は、非照明アセット（ケーブル及びキャビネット）の位置を特定し、また、例えば非照明アセットを、ユーザインターフェース（ＵＩ）３３を使用して表示する。任意選択的に、この解析は、インタラクティブであってもよく、これは、手動の支援と共に精度を向上させることができる。
【００４８】
ユーザインターフェース解析アルゴリズムは、地理情報システム（ＧＩＳ）に基づいてよく、これは、アセットの場所情報を示し、人間によるインタラクティブコミッショニングを可能にする。
【００４９】
図５は、個々の照明ユニットによって実施される動作方法を示す。
【００５０】
ステップ５０において、バックエンドが、個々の照明ユニットに、コミッショニングコマンドを送信する。個々の照明ユニットは、個々の制御ノードを含むと考えられる。ステップ５２において、このコマンドは、照明ユニット内で受信される。
【００５１】
ステップ５４に示されるように、コマンドは、電圧サンプリング動作が開始する時間（例えば午後８時）を示し、また、必要サンプル数を示す。
【００５２】
コマンドが受信された後、照明ユニット内のコントローラは、例えばＧＰＳモジュール又はリアルタイムクロック（ＲＴＣ）モジュールを使用して、時間を確認し、すべての照明ユニットのサンプリング時間が調整されていることを確実にする。これには、割り当てられた時間になるまで、繰り返し、ステップ５６において、時間を読み取ることと、ステップ５８において、時間が合っているかどうかを確認することとを伴う。
【００５３】
ステップ６０において、適切な時間において、指示された数の電圧サンプルが測定され、ステップ６２において決定されるように、正しい数になるまで測定が繰り返される。ステップ６２は、十分なサンプルが読み取られたかどうかを確認する。
【００５４】
電圧サンプリング中にすべての照明ユニットを点灯することによって、電流フローは、最大電圧降下をもたらし、これは、検出を支援する。これは、バックエンドが、点灯するように、また、最大レベルにまで給電されるようにすべてのノードにコマンドを送信するコミッショニング段階において行われてよい。或いは、サンプリングは、コミッショニングされたシステムの正常使用中に、すべてのノードが、点灯し、最大出力レベルにあるときに行われてもよい。しかし、電圧サンプリングは、照明ユニットが点灯していることを確実としなくても行われてよい。これは、電圧降下は、電圧サンプリング機能の結果、ケーブル長さに沿って、いずれにせよ、生じるからである。
【００５５】
サンプリングは、すべての様々な照明ユニットについて連続的に行われ、したがって、照明ユニットはすべて、ＡＣサイクルにおける同じ点にある。したがって、タイミング情報は、様々な照明ユニットからのすべてのサンプリング情報が、ＡＣ主電源サイクルにおける同じ点にあるようにすることができる。ＡＣ電圧の幾つかのサンプルを取ることによって、ＲＭＳ値が得られる。
【００５６】
一例として、サンプリングは、電圧がゼロを交差したばかりの時に開始してよい。次に、データは、幾つかのＡＣサイクル（例えば少なくとも３つのＡＣサイクル）に従ってサンプリングされる。サンプリング周波数は、例えば４８００Ｈｚ又はそれ以上であってよい。
【００５７】
次に、各サイクルのＲＭＳ電圧が計算され、アップロードされる。ＲＭＳ電圧の使用が好適ではあるが、リアルタイムでサンプリングされた電圧値も、ネットワークトポロジを導出するために使用してよい。しかし、リアルタイムでサンプリングされた電圧値は、ノイズによって乱されることもあり、正確でない場合がある。電圧値精度を高めるために、各照明ユニットは、好適には、何百ものサンプリングされた電圧値に基づいて、ＲＭＳ電圧を計算する。
【００５８】
ステップ６４において、照明ユニットは、ＧＰＳモジュールから、地理情報を読み出す。ステップ６６において、電圧情報及び地理情報の両方が、バックエンドに送信される。
【００５９】
図６は、バックエンドコントローラによって実施される動作方法を示す。
【００６０】
ステップ７０において、バックエンドコントローラは、コミッショニングコマンドを送信する。ステップ７２において、バックエンドは待機し、すべての照明ユニットからのサンプリングされた電圧情報及び測位情報を受信する。
【００６１】
ステップ７４において、バックエンドコントローラは、すべての電圧データ及びＧＰＳ情報をデジタルマップ上に更新する。測位データは、様々な道及び道路に基づいてまとめられる。これは、ケーブル経路が、道路沿いに従うからである。道路の場所のこの使用は、ステップ７６において示される。
【００６２】
ステップ７８における電圧解析は、電圧分布のピーク及び谷を見つけることが伴う。これらのピーク及び谷は、デジタルマップ上でもグラフィカル表示可能である。電圧ピークは、ケーブルの始まりにおいて生じると考えられ、電圧の谷は、ケーブルの終端において生じると考えられる。通常、ピークが集中しているところが、複数のケーブルに供給するキャビネットの場所である。
【００６３】
したがって、ステップ８０において、電圧解析によって、ケーブル及びキャビネットの場所が特定される。次に、ステップ８２において、ケーブル及びキャビネットの場所がデジタルマップ上に表示される。コミッショナは、必要に応じて、自動結果を手動で変更することができる。
【００６４】
すべての照明ユニットの電圧情報及び地理情報を集めることによって、コミッショニングに使用するための物理的なケーブル接続の位置を特定することができる。
【００６５】
道路照明ケーブルは、道路に沿って設置され、バックエンドは、様々な道路名に基づいて、照明ユニットをまとめることができる。これは、地理情報及びデジタルマップデータベースを使用して実現される。１つの道路に近いすべての点は１つのクラスにまとめられ、これは、これらの点が、１つの電源ケーブルによって供給されうることを示唆する。
【００６６】
図７は、デジタルマップ上に重ねられたユーザインターフェース３２によって表される基本情報を示す。
【００６７】
各照明ユニットは、星印９０によって表され、対応するＲＭＳ電圧レベルは、グラフィカル又は数値表示される。この情報は、長方形９２によって概略的に示される。
【００６８】
キャビネットに近い照明ユニットの電圧損失は少なく、キャビネットから遠い照明ユニットの電圧損失は多く、したがって、電圧損失は、ケーブル長さに非常に依存する。
【００６９】
各照明ユニットにおいて測定されたＲＭＳ電圧のピーク及び谷を見つけることによって、ケーブル開始点及び終端点が容易に見つかる。
【００７０】
図８は、図７に、円９４として追加されたピーク電圧情報と、四角９６として追加された谷電圧情報とを示す。
【００７１】
ピーク点及び谷点を見つけるために、二重微分アルゴリズムが適用されてよい。極電圧は、Ｖ１、…、Ｖｎと名付けられる。二重微分アルゴリズムは、２つの微分ステップを含む。
【００７２】
第１の微分ステップは、次の通りである。
１  ｉｆ  Ｖｉ＋１＞Ｖｉ
ｄＶｉ｛  ０  ｉｆ  Ｖｉ＋１＝Ｖｉ
−１  ｉｆ  Ｖｉ＋１＜Ｖｉ
【００７３】
これは、前の極に比べて、次の極への電圧が増加された場合、減少された場合又は同じ場合を示す３レベル値を提供する。
【００７４】
第２の微分は、次の通りである。
ｄｄＶｉ＝ｄＶｉ＋１−ｄＶｉ
【００７５】
値ｄｄＶｉ＜０である場合、（ｉ＋１）番目の極が、ピーク点であり、値ｄｄＶｉ＞０である場合、（ｉ＋１）番目の極が、谷点である。
【００７６】
このようにして、近隣のピーク点と谷点との間のすべての照明ユニットは、同じケーブルによって接続されている。ケーブル長さは、ＧＰＳ情報を使用して、ピーク点と谷点との間の距離を計算することによって、マップ上で容易に推定可能である。ケーブル方向（即ち、その起点におけるキャビネットから離れる方向）は、ピークから谷への方向である。
【００７７】
２つ以上の電圧ピークがマップの１点において集まった場合、この点は、電力キャビネットと特定することができる。キャビネット９８の場所は、図９において、図８の情報に追加されて示される。更に、ケーブル方向は、ケーブルの起点であるキャビネットから離れるように指し示す矢印によって表される。システムのユーザは、推定された場所が正しくないと分かった場合は、これらのアセットをドラッグ及びプレースし、また、ユーザインターフェースシステムを使用して、これらの特性を編集することができる。
【００７８】
コミッショニング後、これらの非照明アセットは、データベースで管理される。各照明ユニットは、そのケーブル及びキャビネットに関連付けされる。例えば照明ユニット１は、道路Ａ上のキャビネット２内のケーブル１に接続される。
【００７９】
上記説明は、システムをコミッショニングするシステムの利点について明らかにした。
【００８０】
システム及び方法は、故障診断にも使用することができる。日々の操作及び保守管理において、収集された情報は、照明故障診断に役立つように使用することができる。
【００８１】
図１０は、システムが、ケーブル故障問題の診断を支援する方法を示す。１００と示される幾つかの近隣の照明ユニットが故障する。関連付けられるケーブル情報を照合することによって、照明ユニットの場所がケーブルの終端部にあるので、ケーブルが、場所１０２において、破損したと診断することができる。故障照明ユニットが、照明ユニット１０４によって示されるように、関連付けられるケーブルの途中にある場合、問題は、照明ユニットの故障に関連すると診断することができる。
【００８２】
道路沿いの１つの照明ユニットは、１つの照明器具と、１つの制御ユニットとを含む。制御ユニットが依然として作動している場合、照明器具の故障が検出され、制御ユニットを介して報告される。（停電又は破損ケーブル又はキャビネット故障によって）両方の部品が故障している場合、制御ユニットはオフライン状態であり、故障を報告することができない。この場合、バックエンドは、自動的にオフライン状態を把握し、上記方法を使用して、生じている可能性のある問題の診断を支援することができる。
【００８３】
これらの故障はすべて、システムによって自動的に調査される。
【００８４】
図１１は、多くの照明ユニット１０６が故障している大規模照明故障を示す。ここでも、関連付けられるキャビネット及びケーブル情報を照合することによって、１つのケーブル又はキャビネットにおけるすべての照明ユニットが故障している場合、キャビネット内の何かがおかしいと診断することができる。したがって、キャビネット１０８からの２つのケーブルが機能していない。
【００８５】
この情報によって、保守管理チームが、問題を見つけ、現場において照明システムを修理することができる。
【００８６】
上記例は、キャビネット及び照明ユニットのネットワークを有する。キャビネットは、基本的に、電力ケーブルの開始点を表す。本発明は、キャビネットのない、又は、キャビネットの場所を特定する必要なく、大きい領域にわたる照明ユニットのセットに適用可能である。ケーブル経路を解釈するための道路マップ情報の関連付けも、必須ではない。
【００８７】
上記例は、物理的な場所の情報を提供するために、衛星測位システムを利用する。しかし、位置情報は、他の情報源から故障解析システムに提供されてもよい。例えば情報は、外部の地理情報システム（ＧＩＳ）から取られてもよい。測位情報は更に、衛星信号ではなく、モバイル電話ネットワーク信号に基づいて取得されてもよい。
【００８８】
最低限として、システム及び方法は、共有供給ケーブルに関連付けられる照明ユニットのセットをモニタリングするために使用することができる。しかし、本発明は、上記例から明らかであるように、供給ケーブル及び関連付けられる照明ユニットのネットワーク全体にも適用可能である。
【００８９】
バックエンドにおいて行われる測位情報及び電圧情報の解析は、基本的に、バックエンドにおけるコントローラによって実行されるソフトウェアにおいて行われてもよい。バックエンドは、このためのコンピュータを含み、次に限定されないが、ＰＣ、ワークステーション、ランプトップ、ＰＤＡ、パームデバイス、サーバ、記憶装置等を含んでよい。
【００９０】
一般に、ハードウェアアーキテクチャに関して、コンピュータは、ローカルインターフェースを介して通信可能に結合される１つ以上のプロセッサ、メモリ及び１つ以上のＩ／Ｏデバイスを含んでよい。ローカルインターフェースは、例えば次に限定されないが、当技術分野において知られているように、１つ以上のバス又は他の有線若しくは無線接続部であってよい。ローカルインターフェースは、通信を可能とするためのコントローラ、バッファ（キャッシュ）、ドライバ、中継器及び受信器といった追加の要素を有してもよい。更に、ローカルインターフェースは、上記コンポーネント間の適切な通信を可能とするためのアドレス、制御及び／又はデータ接続部を含んでよい。
【００９１】
プロセッサは、メモリに記憶可能であるソフトウェアを実行するハードウェアデバイスである。プロセッサは、事実上、コンピュータに関連付けられる幾つかのプロセッサのうちの任意のカスタムメイドされた又は市販されているプロセッサ、中央処理演算ユニット（ＣＰＵ）、デジタル信号プロセッサ（ＤＳＰ）又は補助プロセッサであってよく、また、プロセッサは、（マイクロチップの形の）半導体ベースのマイクロプロセッサ又はマイクロプロセッサであってよい。
【００９２】
メモリは、揮発性メモリ要素（例えば動的ランダムアクセスメモリ（ＤＲＡＭ）及び静的ランダムアクセスメモリ（ＳＲＡＭ）といったランダムアクセスメモリ（ＲＡＭ）等）と、不揮発性メモリ要素（例えばＲＯＭ、消去可能プログラマブル読み出し専用メモリ（ＥＰＲＯＭ）、電子的に消去可能なプログラマブル読み出し専用メモリ（ＥＥＰＲＯＭ）、プログラマブル読み出し専用メモリ（ＰＲＯＭ）、テープ、コンパクトディスク読み出し専用メモリ（ＣＤ−ＲＯＭ）、ディスク、ディスケット、カートリッジ、カセット等）の任意の１つ又は組み合わせを含んでよい。更に、メモリは、電子的、磁気的、光学的及び／又は他のタイプの記憶媒体を組み込んでもよい。
【００９３】
メモリ内のソフトウェアは、１つ以上の別箇のプログラムを含んでよい。各プログラムは、論理機能を実施するための順序付けられた実行可能な命令のリストを含む。メモリ内のソフトウェアは、適切なオペレーティングシステム（Ｏ／Ｓ）、コンパイラ、ソースコード及び１つ以上のアプリケーションを含む。各アプリケーションは、ソースプログラム、実行可能プログラム（オブジェクトコード）、スクリプト又は行われる命令のセットを含む任意の他のエンティティであってよい。
【００９４】
Ｉ／Ｏデバイスは、例えば次に限定されないが、マウス、キーボード、スキャナ、マイクロホン、カメラ等といった入力デバイスを含んでよい。更に、Ｉ／Ｏデバイスは、例えば次に限定されないが、プリンタ、ディスプレイ等といった出力デバイスを含んでもよい。
【００９５】
１つ以上のアプリケーションは、コンピュータベースのシステム、プロセッサを含むシステム又は命令実行システム、装置若しくはデバイスから命令をフェッチし実行することが可能である他のシステムといった命令実行システム、装置若しくはデバイスによって又は当該システム、装置若しくはデバイスに関連して使用される任意のコンピュータ可読媒体において具体化可能である。本文書のコンテキストにおいて、「コンピュータ可読媒体」は、命令実行システム、装置若しくはデバイスによって又は当該システム、装置若しくはデバイスに関連して使用されるプログラムを記憶、通信、伝搬又は運搬することができる任意の手段であってよい。コンピュータ可読媒体は、例えば次に限定されないが、電子的、磁気的、光学的、電磁的、赤外線による若しくは半導体のシステム、装置、デバイス又は伝搬媒体であってよい。
【００９６】
本発明は、システム、方法及び／又はコンピュータプログラムプロダクトであってよい。コンピュータプログラムプロダクトは、プロセッサに本発明の態様を実行させるコンピュータ可読プログラム命令をその上に有するコンピュータ可読記憶媒体（又は複数の媒体）を含んでよい。
【００９７】
コンピュータ可読記憶媒体は、命令実行デバイスによる使用のための命令を保持し、記憶可能である有形デバイスであってよい。コンピュータ可読記憶媒体は、例えば次に限定されないが、電子記憶デバイス、磁気記憶デバイス、光学記憶デバイス、電磁記憶デバイス、半導体記憶デバイス又は上記の任意の適切な組み合わせであってよい。コンピュータ可読記憶媒体のより具体的な例の非包括的なリストには、ポータブルコンピュータディスケット、ハードディスク、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、静的ランダムアクセスメモリ（ＳＲＡＭ）、ポータブルコンパクトディスク読み出し専用メモリ（ＣＤ−ＲＯＭ）、デジタル多用途ディスク（ＤＶＤ）、メモリスティック、フロッピー（登録商標）メモリ、命令が記録されているパンチカード又は溝状に隆起した構造を有するといった機械的にコード化されたデバイス、また、これらの任意の適切な組み合わせが含まれる。
【００９８】
開示された実施形態の他の変形態様は、図面、開示内容及び添付の請求項の検討から、請求項に係る発明を実施する当業者によって理解され、実施される。請求項において、「含む」との用語は、他の要素又はステップを排除するものではなく、また、「ａ」又は「ａｎ」との不定冠詞も、複数形を排除するものではない。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
0006632619.tif 000002
【図２】
0006632619.tif 000003
【図３】
0006632619.tif 000004
【図４】
0006632619.tif 000005
【図５】
0006632619.tif 000006
【図６】
0006632619.tif 000007
【図７】
0006632619.tif 000008
【図８】
0006632619.tif 000009
【図９】
0006632619.tif 000010
【図１０】
0006632619.tif 000011
【図１１】
0006632619.tif 000012